(57)【要約】【課題】既設の吊りボルトに対して、後から吊り支持機器を固定しようとする際に、既設の吊りボルトの水平位置と吊り支持機器の固定箇所の水平位置とのずれを解消するためのボルト連結具を提供すること。【解決手段】一方の本体片１と、他方の本体片２と、一方の本体片１及び他方の本体片２を結合すると形成される第１のねじ穴３及び第２のねじ穴４と、一方の本体片１と他方の本体片２とを着脱自在に結合する結合手段５とを備える。第１のねじ穴３及び第２のねじ穴４は中心軸３１，４１が互いに平行し、第１のねじ穴３は既設ボルト１１を受け入れ、第２のねじ穴４は新設ボルト１２を受け入れる。【選択図】図２
0003231237.tif 000002
【実用新案登録請求の範囲】
【請求項１】
一方の本体片と、他方の本体片と、前記一方の本体片及び前記他方の本体片を結合すると形成される第１のねじ穴及び第２のねじ穴と、前記一方の本体片と前記他方の本体片とを着脱自在に結合する結合手段とを備え、
前記第１のねじ穴及び前記第２のねじ穴は中心軸が互いに平行し、前記第１のねじ穴は既設ボルトを受け入れ、前記第２のねじ穴は新設ボルトを受け入れる、ボルト連結具。
【考案の詳細な説明】
【技術分野】
【０００１】
本考案は、ボルト連結具に係り、特に、天井スラブ等から垂下された吊りボルトに、吊り支持される設備機器（以下、吊り支持機器という）を取り付けるためのボルト連結具に関する。
【背景技術】
【０００２】
従来、天井スラブから垂下された吊りボルトに対して吊り支持機器を固定する場合、予め適切な位置に配置された吊りボルトに対して割ナット等を用いて吊り支持機器を固定していた。
【０００３】
しかし、既設の吊りボルトに対して、後から吊り支持機器を固定しようとする場合、既設の吊りボルトの水平位置と吊り支持機器の固定箇所の水平位置とがずれている場合がある。
【０００４】
出願人は、これに関する文献公知発明を知らない。
【考案の概要】
【考案が解決しようとする課題】
【０００５】
本考案は、既設の吊りボルトに対して、後から吊り支持機器を固定しようとする際に、既設の吊りボルトの水平位置と吊り支持機器の固定箇所の水平位置とのずれを解消するためのボルト連結具を提供することを課題とする。
【課題を解決するための手段】
【０００６】
この課題を解決するため、本考案は、一方の本体片と、他方の本体片と、一方の本体片及び他方の本体片を結合すると形成される第１のねじ穴及び第２のねじ穴と、一方の本体片と他方の本体片とを着脱自在に結合する結合手段とを備える。第１のねじ穴及び第２のねじ穴は中心軸が互いに平行し、第１のねじ穴は既設ボルトを受け入れ、第２のねじ穴は新設ボルトを受け入れる、という構成を採っている。
【０００７】
一方の本体片と、他方の本体片との結合により形成される第１のねじ穴に既設ボルトを固定すると共に、第２のねじ穴に新設ボルトを固定し、既設ボルトから水平方向にずれた位置の新設ボルトに対して、吊り支持機器を固定する。
【考案の効果】
【０００８】
本考案によれば、既設の吊りボルトに対して、後から吊り支持機器を固定しようとする際に、既設の吊りボルトの水平位置と吊り支持機器の固定箇所の水平位置とのずれを解消するためのボルト連結具を提供することができる。
【図面の簡単な説明】
【０００９】
【図１】図１は、本考案の実施形態であるボルト連結具の使用状態図。
【図２】図２は、本考案の実施形態であるボルト連結具の構成図であり、図２（ａ）は、正面図。図２（ｂ）は、そのＡ−Ａ断面図を示す。
【考案を実施するための形態】
【００１０】
以下、本考案の実施形態を図面を参照して説明する。図１において、天井スラブＳから複数の既設ボルト１１が鉛直方向に垂下している。いま、この既設ボルト１１を利用して吊り支持機器Ｍ（エアコン等）を固定したい。しかし、既設ボルト１１の水平位置と、吊り支持機器Ｍの固定箇所の水平位置とがずれており、既設ボルト１１に吊り支持機器Ｍを直接固定することができない。そこで、本実施形態のボルト連結具１０を使用し、既設ボルト１１に対し、新設ボルト１２を連結する。新設ボルト１２は、既設ボルト１１とは水平位置がずれることにより、新設ボルト１２の位置に吊り支持機器Ｍの固定箇所を合わせることができ、新設ボルト１２に対して吊り支持機器Ｍを固定することができる。こうして、既設ボルト１１を利用して、吊り支持機器Ｍを固定することができる。本実施形態において、既設ボルト１１及び新設ボルト１２は、全ねじとする。
【００１１】
図２（ａ）は、ボルト連結具１０の正面図であり、図２（ｂ）は、そのＡ−Ａ断面図である。ボルト連結具１０は、一方の本体片１と、他方の本体片２と、一方の本体片１及び他方の本体片２を結合すると形成される第１のねじ穴３及び第２のねじ穴４とを備えている。また、一方の本体片１と他方の本体片２とを着脱自在に結合する結合手段５を有する。第１のねじ穴３及び第２のねじ穴４は中心軸３１，４１が互いに平行している。また、第１のねじ穴３は既設ボルト１１を受け入れ、第２のねじ穴４は新設ボルト１２を受け入れるようになっている。
【００１２】
これを更に詳述すると、本実施形態において、一方の本体片１及び他方の本体片２は、結合することにより外形は直方体となる。素材は、例えば、ユニクロームメッキを施した鉄等で形成する。一方の本体片１と他方の本体片２とが接触する面には、第１のねじ穴３と第２のねじ穴４が形成されるが、一方の本体片１の側にねじ穴３，４の円筒の半面が形成され、他方の本体片２の側にねじ穴３，４の円筒のもう半面が形成されている。そして、一方の本体片１と他方の本体片２とが接触したときに、第１のねじ穴３及び第２のねじ穴４が形成されるように、各本体片１，２のねじ穴３，４部分の大きさや位置の設定がなされている。
【００１３】
本実施形態において、一方の本体片１と他方の本体片２との結合手段５は、３本の小ねじ５である。一方の本体片１と他方の本体片２とを接触させたとき、一方の本体片１から他方の本体片２に貫通する方向のねじ穴が３か所形成されており、そこに３本の小ねじ５をねじ込むことにより、一方の本体片１と他方の本体片２とが結合するようになっている。小ねじ５は、半ねじタイプであり、一方の本体片１に形成されたバカ穴を通して、他方の本体片２に形成されたねじ穴にねじ込むことにより、一方の本体片１と他方の本体片２とを結合する。逆に、小ねじ５を外せば、一方の本体片１と他方の本体片２とを分離することができる。
【００１４】
既設ボルト１１及び新設ボルト１２を一方の本体片１と他方の本体片２とで挟み込んで、一方の本体片１と他方の本体片２とを結合手段５で固定すると、各ボルト１１，１２をねじ込む作業を行わなくても、既設ボルト１１と新設ボルト１２とを連結することができる。そして、新設ボルト１２に対し、吊り支持機器Ｍを固定することで、吊り支持機器Ｍの固定が完了する。逆に、吊り支持機器Ｍを新設ボルト１２から取り外し、結合手段５を解除して一方の本体片１と他方の本体片２とを分離すれば、ボルト１１，１２をねじる作業を行うことなく、既設ボルト１１から新設ボルト１２を取り外すことができる。
【００１５】
以上説明した本実施形態によれば、既設の吊りボルト１１に対して、後から吊り支持機器Ｍを固定しようとする際に、既設の吊りボルト１１の水平位置と吊り支持機器Ｍの固定箇所の水平位置とのずれを解消するためのボルト連結具１０を提供することができる。一方の本体片１と他方の本体片２とで既設ボルト１１及び新設ボルト１２を挟み込んで固定することができるので、既設ボルト１１及び新設ボルト１２をねじ込む場合に比べ容易に取付を行うことができる。
【００１６】
ここで、本考案は上記の実施形態に限定されず、請求項に記載した構成が本考案の範囲となる。本体片の大きさ、寸法や外形は制限されない。結合手段は、一方の本体片と他方の本体片とを結合できる手段であればよい。
【符号の説明】
【００１７】
１  一方の本体片
２  他方の本体片
３  第１のねじ穴
４  第２のねじ穴
５  結合手段（小ねじ）
１０  ボルト連結具
１１  既設ボルト
１２  新設ボルト
Ｍ  吊り支持機器
Ｓ  天井スラブ
【図１】
0003231237.tif 000003
【図２】
0003231237.tif 000004